(57)【要約】【課題】屋根勾配を考慮しながら、屋根芯材と壁部または梁とを連結することが可能な連結金物および屋根の取付構造を提供することを目的とする。【解決手段】平面視において棟方向に対して所定角度で斜めに配置される複数の屋根芯材１３ａ，１３ａと、棟方向に沿って配置される壁部２０の上端部とを連結するものであり、第１固定板部２と第２固定板部３と接続板部４とを備えており、第１固定板部２と接続板部４とが屋根勾配に対応する角度に折曲形成され、第２固定板部３と接続板部４とが屋根芯材１３ａの棟方向に対する延在方向に対応する角度に折曲形成されていることを特徴とする連結金物１。また、この連結金物１を介して、屋根１３を壁部２０または梁の上端部に取り付けてなる屋根１３の取付構造。これにより、屋根芯材と壁部または梁の上端部とを、屋根勾配を考慮しながら確実に連結することができる。【選択図】図１
2010248798.tif 000002
【特許請求の範囲】
【請求項１】
平面視において棟方向に対して所定角度で斜めに配置される複数の屋根芯材と、棟方向に沿って配置される壁部または梁の上端部とを連結する連結金物であって、
前記壁部または梁の上端部の側面に固定される第１固定板部と、
前記屋根芯材の側面に固定される第２固定板部と、
これら第１固定板部と第２固定板部とを接続するとともに、これら第１固定板部および第２固定板部と一体形成される接続板部とを備えており、
前記第１固定板部と接続板部とは、屋根勾配に対応する角度に折曲形成されており、
前記第２固定板部と接続板部とは、前記屋根芯材の棟方向に対する延在方向に対応する角度に折曲形成されていることを特徴とする連結金物。
【請求項２】
請求項１に記載の連結金物において、
前記第１固定板部の上端縁と接続板部の下端縁とが一体形成されており、これら第１固定板部の上端縁と接続板部の下端縁とが接する部分を、これら第１固定板部と接続板部とを屋根勾配に対応する角度に折曲形成する際の折曲線としており、
前記第２固定板部の側縁部と接続板部の側縁部とが一体形成されており、これら第２固定板部の側縁部と接続板部の側縁部とが接する部分を、これら第２固定板部と接続板部とを前記屋根芯材の棟方向に対する延在方向に対応する角度に折曲形成する際の折曲線としていることを特徴とする連結金物。
【請求項３】
請求項２に記載の連結金物において、
前記第２固定板部と接続板部との間の折曲線の下端部は、前記第１固定板部と接続板部との間の折曲線よりも上方に位置していることを特徴とする連結金物。
【請求項４】
平面視において棟方向に対して所定角度で斜めに配置される複数の屋根芯材と、これら複数の屋根芯材の上面に取り付けられるとともに平面視において平行四辺形状に形成される屋根下地板材とを有する屋根を、請求項１〜３のいずれか一項に記載の連結金物を介して、棟方向に沿って配置される壁部または梁の上端部に取り付けてなる屋根の取付構造であって、
前記壁部または梁の上端面には、前記屋根の屋根勾配に沿って傾斜する傾斜面を有する結合桁が設けられており、
前記第１固定板部は、この結合桁と前記壁部または梁の上端部の側面とに固定されていることを特徴とする屋根の取付構造。
【請求項５】
請求項４に記載の屋根の取付構造において、
前記屋根は、前記複数の屋根芯材と、棟方向に沿って配置されるとともに該複数の屋根芯材と交差するようにして設けられる複数の横芯材とによって、平行四辺形枠状に組み立てられた枠体の上面に、前記屋根下地板材を取り付けてなる建築用屋根パネルによって構成されていることを特徴とする屋根の取付構造。
【発明の詳細な説明】
【技術分野】
【０００１】
本発明は、平面視において棟方向に対して所定角度で斜めに配置される複数の屋根芯材と、棟方向に沿って配置される壁部または梁の上端部とを連結する連結金物および屋根の取付構造に関する。
【背景技術】
【０００２】
一つの勾配屋根に対して、この勾配屋根と直交するようにして少なくとも一つの勾配屋根を形成し、平面視略Ｌ字状やＴ字状、十字状に屋根を形成する場合がある（例えば、特許文献１参照）。
このように勾配屋根と勾配屋根とが交差するようにして建物の屋根を形成すると、下方に傾斜する屋根面同士が当接する部分に谷隅部が形成される。また、例えば寄棟造りでなる特許文献１に記載の屋根においては、この谷隅部付近に設けられる野地板等の屋根下地板材が平面視において平行四辺形となるように形成されている。したがって、このような平行四辺形の屋根下地板材の下面に設けられる垂木等の屋根芯材は、棟方向に沿って配置される屋根直下の壁部または梁と直角には交差せずに、平面視において所定の角度で斜め方向に交差するように配置されることとなる。
【先行技術文献】
【特許文献】
【０００３】
【特許文献１】特開平０７−１２５４９２号公報
【発明の概要】
【発明が解決しようとする課題】
【０００４】
ところが、このように垂木等の屋根芯材を所定の角度で斜めに配置して壁部または梁と交差する部分で互いに連結する場合、壁部または梁に対する屋根芯材の角度だけでなく、屋根自体の勾配も考慮しなければならないため、これら屋根芯材と壁部または梁とを連結することが困難となり、延いては、上述のような谷隅部を有する屋根を形成することが困難となる場合がある。
【０００５】
本発明の課題は、屋根勾配を考慮しながら、屋根芯材と壁部または梁とを連結することが可能な連結金物および屋根の取付構造を提供することを目的とする。
【課題を解決するための手段】
【０００６】
請求項１に記載の発明は、例えば図１〜図５に示すように、平面視において棟方向（棟１２ａの延在方向）に対して所定角度で斜めに配置される複数の屋根芯材１３ａ，１３ａと、棟方向に沿って配置される壁部２０または梁の上端部とを連結する連結金物１であって、
前記壁部２０または梁の上端部の側面に固定される第１固定板部２と、
前記屋根芯材１３ａの側面に固定される第２固定板部３と、
これら第１固定板部２と第２固定板部３とを接続するとともに、これら第１固定板部２および第２固定板部３と一体形成される接続板部４とを備えており、
前記第１固定板部２と接続板部４とは、屋根勾配に対応する角度に折曲形成されており、
前記第２固定板部３と接続板部４とは、前記屋根芯材１３ａの棟方向に対する延在方向に対応する角度に折曲形成されていることを特徴とする。
【０００７】
請求項１に記載の発明によれば、前記第１固定板部２と接続板部４とは、屋根勾配に対応する角度に折曲形成されており、前記第２固定板部３と接続板部４とは、前記屋根芯材１３ａの棟方向に対する延在方向に対応する角度に折曲形成されているので、平面視において棟方向に対して所定角度で斜めに配置される屋根芯材１３ａと、棟方向に沿って配置される壁部２０または梁の上端部とを、屋根勾配を考慮しながら確実に連結することができる。そして、このように、屋根を構成する屋根芯材１３ａと、棟方向に沿って配置される壁部２０または梁の上端部とを確実に連結することができるので、例えば下方に傾斜する屋根面同士が当接する部分に形成される谷隅部（例えば谷隅部１４）を有する平面視略Ｌ字状や略Ｔ字状、略十字状等の屋根を容易かつ確実に形成することが可能となる。
【０００８】
請求項２に記載の発明は、例えば図１、図４および図５に示すように、請求項１に記載の連結金物１において、
前記第１固定板部２の上端縁と接続板部４の下端縁とが一体形成されており、これら第１固定板部２の上端縁と接続板部４の下端縁とが接する部分を、これら第１固定板部２と接続板部４とを屋根勾配に対応する角度に折曲形成する際の折曲線５としており、
前記第２固定板部３の側縁部と接続板部４の側縁部とが一体形成されており、これら第２固定板部３の側縁部と接続板部４の側縁部とが接する部分を、これら第２固定板部３と接続板部４とを前記屋根芯材１３ａの棟方向に対する延在方向に対応する角度に折曲形成する際の折曲線６としていることを特徴とする。
【０００９】
請求項２に記載の発明によれば、前記第１固定板部２の上端縁と接続板部４の下端縁とが接する部分を前記折曲線５としているので、この折曲線５の部分を中心に前記第１固定板部２と接続板部４とを折り曲げることによって、これら第１固定板部２と接続板部４とを確実に屋根勾配に対応する角度に折曲形成できる。
また、前記第２固定板部３の側縁部と接続板部４の側縁部とが接する部分を前記折曲線６としているので、この折曲線６の部分を中心に前記第２固定板部３と接続板部４とを折り曲げることによって、これら第２固定板部３と接続板部４とを確実に前記屋根芯材１３ａの棟方向に対する延在方向に対応する角度に折曲形成できる。
これによって、平面視において棟方向に対して所定角度で斜めに配置される屋根芯材１３ａと、棟方向に沿って配置される壁部２０または梁の上端部とを、屋根勾配を考慮しながら、より確実に連結することができる。
【００１０】
請求項３に記載の発明は、例えば図１に示すように、請求項２に記載の連結金物１において、
前記第２固定板部３と接続板部４との間の折曲線６の下端部は、前記第１固定板部２と接続板部４との間の折曲線５よりも上方に位置していることを特徴とする。
【００１１】
請求項３に記載の発明によれば、前記第２固定板部３と接続板部４との間の折曲線６の下端部は、前記第１固定板部２と接続板部４との間の折曲線５よりも上方に位置しているので、前記接続板部４の、前記第２固定板部３と接続板部４との間の折曲線６の下端部から左右方向に沿って剪断力が作用する部分の位置と、前記第１固定板部２と接続板部４との間の折曲線５に沿って剪断力が作用する部分の位置とがずれることになる。
これによって、例えば、前記第２固定板部３と接続板部４との間の折曲線６の下端部と、前記第１固定板部２と接続板部４との間の折曲線５の端部とが当接するように形成された金物よりも、前記接続板部４付近に作用する剪断力を確実に分散できるので、屋根を構成する屋根芯材１３ａと、棟方向に沿って配置される壁部２０または梁の上端部との連結強度を高めることができる。
【００１２】
請求項４に記載の発明は、例えば図１〜図５に示すように、平面視において棟方向に対して所定角度で斜めに配置される複数の屋根芯材１３ａ，１３ａと、これら複数の屋根芯材１３ａ，１３ａの上面に取り付けられるとともに平面視において平行四辺形状に形成される屋根下地板材１３ｂとを有する屋根１３を、請求項１〜３のいずれか一項に記載の連結金物１を介して、棟方向に沿って配置される壁部２０または梁の上端部に取り付けてなる屋根１３の取付構造であって、
前記壁部２０または梁の上端面には、前記屋根１３の屋根勾配に沿って傾斜する傾斜面２１ａを有する結合桁２１が設けられており、
前記第１固定板部２は、この結合桁２１と前記壁部２０または梁の上端部の側面とに固定されていることを特徴とする。
【００１３】
請求項４に記載の発明によれば、平面視において棟方向に対して所定角度で斜めに配置される複数の屋根芯材１３ａ，１３ａと、これら複数の屋根芯材１３ａ，１３ａの上面に取り付けられるとともに平面視において平行四辺形状に形成される屋根下地板材１３ｂとを有する屋根１３を、前記連結金物１を介して、棟方向に沿って配置される壁部２０または梁の上端部に取り付けるので、前記屋根芯材１３ａと、壁部２０または梁の上端部とを、屋根勾配を考慮しながら、より一層確実に連結することができる。そして、このように、屋根を構成する屋根芯材１３ａと、棟方向に沿って配置される壁部２０または梁の上端部とを連結することができるので、例えば下方に傾斜する屋根面同士が当接する部分に形成される谷隅部を有する平面視略Ｌ字状や略Ｔ字状、略十字状等の屋根を、より一層容易かつ確実に形成することが可能となる。
また、前記壁部２０または梁の上端面に、前記屋根１３の屋根勾配に沿って傾斜する傾斜面２１ａを有する結合桁２１が設けられているので、この結合桁２１の傾斜面２１ａ上に前記複数の屋根芯材１３ａ，１３ａを載せることで、前記屋根１３を所定の角度に勾配を付けて前記壁部２０または梁の上端部に設置することができる。
また、前記第１固定板部２は、前記結合桁２１と前記壁部２０または梁の上端部の側面とに固定されているので、前記第１固定板部２を、単に前記結合桁２１だけに固定した場合や、前記壁部２０または梁の上端部の側面だけに固定した場合に比して、確実かつ強固に固定することができる。これによって、屋根を構成する屋根芯材１３ａと、棟方向に沿って配置される壁部２０または梁の上端部との連結強度を、より高めることができる。
【００１４】
請求項５に記載の発明は、例えば図２および図３に示すように、請求項４に記載の屋根１３の取付構造において、
前記屋根１３は、前記複数の屋根芯材１３ａ，１３ａと、棟方向に沿って配置されるとともに該複数の屋根芯材１３ａ，１３ａと交差するようにして設けられる複数の横芯材１３ｃ，１３ｃとによって、平行四辺形枠状に組み立てられた枠体の上面に、前記屋根下地板材１３ｂを取り付けてなる建築用屋根パネルによって構成されていることを特徴とする。
【００１５】
請求項５に記載の発明によれば、前記屋根１３は、建築用屋根パネルによって構成されているので、前記壁部２０が前記屋根１３と同質のパネルで構成されたものである場合に、屋根１３と壁部２０とを容易に連結することができる。
また、前記屋根１３をパネル化した状態で輸送したり現場施工できるので、施工効率の工場を図ることができる。さらに、予め前記連結金物１を前記複数の屋根芯材１３ａ，１３ａに取り付けておくこともできるので、この連結金物１の第１固定板部２と前記壁部２０または梁の上端部の側面とが当接するようにして位置決めしながら、前記屋根１３を前記壁部２０または梁の上端部に取り付けることができる。
【発明の効果】
【００１６】
本発明によれば、第１固定板部と接続板部とは、屋根勾配に対応する角度に折曲形成されており、第２固定板部と接続板部とは、屋根芯材の棟方向に対する延在方向に対応する角度に折曲形成されているので、平面視において棟方向に対して所定角度で斜めに配置される屋根芯材と、棟方向に沿って配置される壁部または梁の上端部とを、屋根勾配を考慮しながら確実に連結することができる。そして、このように、屋根を構成する屋根芯材と、棟方向に沿って配置される壁部または梁の上端部とを確実に連結することができるので、例えば下方に傾斜する屋根面同士が当接する部分に形成される谷隅部を有する平面視略Ｌ字状や略Ｔ字状、略十字状等の屋根を容易かつ確実に形成することが可能となる。
【図面の簡単な説明】
【００１７】
【図１】本発明の連結金物の一例を示す正面図である。
【図２】建築用屋根パネルの割付を説明するための屋根の平面図である。
【図３】建築用屋根パネルと壁部との取付態様を示す斜視図である。
【図４】図１に示す連結金物の取付態様を示す側面図である。
【図５】同、平面図である。
【発明を実施するための形態】
【００１８】
以下、図面を参照して本発明の実施の形態について説明する。
なお、本実施の形態においては、壁や床、屋根といった建物の構成要素を予め工場にてパネル化しておき、施工現場でこれらの建築用パネルを組み立てて構築するパネル工法が採用されるが、従来の軸組工法や壁式工法の木造、鉄骨造、鉄筋コンクリート造等の工法等も採用することができる。
【００１９】
また、この建築用パネルとは、縦横の框材（芯材）が矩形状に組み立てられるとともに、矩形枠の内部に補助桟材が縦横に組み付けられて枠体が構成され、この枠体の両面もしくは片面に、面材が貼設されたものであり、内部中空な構造となっている。さらに、その内部中空な部分には、通常、グラスウールやロックウール等の断熱材が装填されるものである。
【００２０】
図１は本発明に係る連結金物の一例を示す正面図である。
図１において符号１は、平面視において棟方向に対して所定角度で斜めに配置される屋根パネル１３の複数の屋根芯材１３ａ，１３ａと、棟方向に沿って配置される壁部２０の上端部とを連結する連結金物を示す。この連結金物１は、前記壁部２０の上端部の側面に固定される第１固定板部２と、前記屋根芯材１３ａの側面に固定される第２固定板部３と、これら第１固定板部２と第２固定板部３とを接続するとともに、これら第１固定板部２および第２固定板部３と一体形成される接続板部４とを備えている。
また、前記第１固定板部２と接続板部４とは、屋根勾配に対応する角度に折曲形成されており、前記第２固定板部３と接続板部４とは、前記屋根芯材１３ａの棟方向に対する延在方向に対応する角度に折曲形成されている。
なお、この連結金物１は、図１に示す向きのものだけでなく、左右対称に形成されたものもあり、取付位置や条件等に応じて適宜選択して使用する。
【００２１】
また、図１，図４および図５に示すように、前記第１固定板部２の上端縁と接続板部４の下端縁とが一体形成されており、これら第１固定板部２の上端縁と接続板部４の下端縁とが接する部分を、これら第１固定板部２と接続板部４とを屋根勾配に対応する角度に折曲形成する際の折曲線５としている。
さらに、前記第２固定板部３の側縁部と接続板部４の側縁部とが一体形成されており、これら第２固定板部３の側縁部と接続板部４の側縁部とが接する部分を、これら第２固定板部３と接続板部４とを前記屋根芯材１３ａの棟方向に対する延在方向に対応する角度に折曲形成する際の折曲線６としている。
なお、前記折曲線５は、正面視において山折りされる部分であり、前記折曲線６は、正面視において谷折りされる部分である。
【００２２】
前記第１固定板部２は、この第１固定板部２と前記接続板部４とが接する部分から下方に向かうにつれて徐々に広くなるように形成される上端部２ｂと、この上端部の下部に位置するとともに矩形状に形成される矩形状部２ｃとからなる。
この矩形状部２ｃには、第１固定板部２を前記壁部２０の上端部の側面に止着固定するための止着材を挿通する孔部２ａが複数形成されている。
【００２３】
前記第２固定板部３は、互いに隣り合う直角部３ｂ，３ｂを上端部に有する台形状に形成されたものであり、台形状に形成された該第２固定板部３の長辺部分が前記接続板部４に接するように設けられている。
この第２固定板部３には、この第２固定板部３を前記屋根芯材１３ａの側面に止着固定するための止着材を挿通する孔部３ａが複数形成されている。
【００２４】
なお、前記第１固定板部１の矩形状部２ｃの両側縁部２ｄ，２ｅのうちの一方の側縁部２ｄが、前記第２固定板部３と接続板部４とが接する部分よりも、第２固定板部３の中央側に位置している。つまり、前記矩形状部２ｃの一方の側縁部２ｄは前記第２固定板部３の下方に位置している。
【００２５】
前記接続板部４は、互いに隣り合う直角部４ａ，４ａを前記第２固定板部３側端部に有する台形状に形成されたものであり、前記互いに隣り合う直角部４ａ，４ａ間に延在する側辺部分が前記第２固定板部３に接するように設けられている。
【００２６】
なお、この接続板部４の前記互いに隣り合う直角部４ａ，４ａ間に延在する側辺部分は、前記第２固定板部３の長辺部分よりも長くなるように設定されている。したがって、前記第２固定板部３と接続板部４との間の折曲線６の下端部は、前記第１固定板部２と接続板部４との間の折曲線５よりも上方に位置していることとなる。
これにより、前記接続板部４の、前記第２固定板部３と接続板部４との間の折曲線６の下端部から左右方向に沿って剪断力が作用する部分の位置と、前記第１固定板部２と接続板部４との間の折曲線５に沿って剪断力が作用する部分の位置とがずれることになる。
【００２７】
次に、本実施の形態の連結金物１を介して、屋根パネル１３を、前記壁部２０の上端部に取り付けてなる屋根の取付構造について説明する。
なお、本実施の形態においては、前記屋根パネル１３を前記壁部２０の上端部に取り付けるものとするが、これに限られるものではなく、棟に平行する梁等の水平材の上端部に取り付けるようにしてもよいものとする。
【００２８】
ここで、建物の屋根１０は、図２に示すように、主屋根１１と、この主屋根１１の端部から該主屋根１１の棟方向と直交する方向に突出するように設けられる付属屋根１２とによって、平面視略Ｌ字状の寄棟造りの屋根であり、複数の屋根パネル１０ａ〜１０ｇ，１３を適宜割り付けることによって形成されている。
なお、図２中に示す破線部分は、屋根１０の直下に位置する壁部２０または梁等の水平材の位置を示している。
【００２９】
前記複数の屋根パネル１０ａ〜１０ｇは、平面視において三角形状または矩形状に形成されている。
三角形状に形成された大きさの異なる各屋根パネル１０ａ，１０ｂ，１０ｃは、屋根１０の隅棟部近傍に配置されている。
また、矩形状に形成された大きさの異なる各屋根パネル１０ｄ，１０ｅ，１０ｆ，１０ｇは、前記主屋根１１の棟や付属屋根１２の棟１２ａ、これら主屋根１１および付属屋根１２の軒先部の近傍に配置されている。
【００３０】
また、前記屋根パネル１３は、図２に示すように、前記主屋根１１と付属屋根１２とが交差することによって下方に傾斜する屋根面同士が当接する部分に形成される谷隅部１４の近傍に配置されている。
また、この屋根パネル１３は、図３に示すように、前記複数の屋根芯材１３ａ，１３ａと、棟方向に沿って配置されるとともに該複数の屋根芯材１３ａ，１３ａと交差するようにして設けられる複数の横芯材１３ｃ，１３ｃとによって、平行四辺形枠状に組み立てられた枠体の上面に、前記屋根下地板材１３ｂを取り付けてなるものである。
なお、本実施の形態の屋根パネル１３の勾配は、１／２に設定されている。
【００３１】
前記壁部２０は、図３および図４に示すように、建築用壁パネルによって構成されている。つまり、図４に示す横印材２０ａを含む枠体の表裏両面に面材２０ｂを取り付けてなるものである。
また、この壁部２０の上端面には、前記屋根パネル１３の屋根勾配に沿って傾斜する傾斜面２１ａを有する結合桁２１が設けられており、この結合桁２１の傾斜面２１ａ上に前記複数の屋根芯材１３ａ，１３ａを載せることで、前記屋根パネル１３を所定の角度に勾配を付けて前記壁部２０の上端部に設置できるようになっている。
【００３２】
そして、前記連結金物１の第１固定板部２は、止着材によって、この結合桁２１と前記壁部２０の上端部の側面とに固定されており、前記第１固定板部２を、単に前記結合桁２１だけに固定した場合や、前記壁部２０または梁の上端部の側面だけに固定した場合に比して、確実かつ強固に固定することができる。
また、前記第２固定板部３は、この第２固定板部３の上端縁が、前記屋根芯材１３ａの側面の上端縁と平行するようにして前記屋根芯材１３ａの側面に固定されている。
【００３３】
また、前記連結金物１の第１固定板部２と接続板部４とは、図４に示すように、前述した屋根勾配に対応する角度に折曲形成されている。
本実施の形態の屋根勾配は１／２に設定されているので、前記第１固定板部２と接続板部４との間の内角部分の角度Ａ１が、約１５３度に設定されている。これにより、これら第１固定板部２と接続板部４とを確実に屋根勾配に対応する角度に折曲形成できる。
【００３４】
なお、屋根勾配を１／２に設定した場合は、前記第１固定板部２と接続板部４との間の内角部分の角度Ａ１が約１５３度に設定されることになるが、屋根勾配が変更されることによって、前記第１固定板部２と接続板部４との間の内角部分の角度Ａ１も変更される。
例えば、１／３勾配であれば約１６２度、２／３勾配であれば約１４６度に設定されることになる。
【００３５】
さらに、前記連結金物１の第２固定板部３と接続板部４とは、図５に示すように、前記屋根芯材１３ａの棟方向に対する延在方向に対応する角度に折曲形成されている。本実施の形態の第２固定板部３と接続板部４との折曲げ角度Ａ２は、本実施の形態の屋根芯材１３ａの棟方向に対する延在方向に対応して、約１３２度に設定されている。
なお、上述のように前記第２固定板部３の上端縁は、前記屋根芯材１３ａの側面の上端縁と平行しているので、屋根勾配が変更された場合は、角度Ａ１だけでなく、角度Ａ２も屋根勾配に応じて適宜変更されることになる。また、この角度Ａ２は、平面視における前記屋根芯材１３ａの前記棟１２ａに対する角度によっても適宜変更されるものであり、上述のように、本実施の形態では角度Ａ２は約１３２度に設定されている。
【００３６】
また、本実施の形態では、前記棟１２ａから軒先まで屋根勾配に沿って２枚の屋根パネル１３，１３が並設されてなる列が、前記棟１２ａの長さ方向に沿って２列並列されており、計４枚の屋根パネル１３が使用されている。
また、前記棟１２ａに当接する屋根パネル１３，１３は、上端部が前記棟１２ａに固定されており、下端部が軒先側の屋根パネル１３，１３に連結されており、中央部分は、図示しない桁材等によって支持されているものとする。
【００３７】
また、本実施の形態の連結金物１を用いて、屋根パネル１３を前記壁部２０の上端部に取り付ける際は、平面視において、前記棟１２ａに平行に立設された壁部２０の上端部に、予め前記結合桁２１を取り付けておく。
続いて、前記屋根パネル１３を、前記複数の屋根芯材１３ａ，１３ａが前記結合桁２１の傾斜面２１ａに沿って傾斜するようにして該結合桁２１の傾斜面２１ａ上に載せる。
その後、角度Ａ１および角度Ａ２が予め折曲形成された連結金物１の第１固定板部２を前記結合桁２１と前記壁部２０の上端部の側面とに固定し、第２固定板部３を前記屋根芯材１３ａの側面に固定して、前記屋根芯材１３ａと前記壁部２０とを連結する。このようにして、前記屋根パネル１３を前記壁部２０の上端部に取り付けることができる。
【００３８】
また、以上の取付方法以外の方法で屋根パネル１３を前記壁部２０の上端部に取り付けしてもよいものとする。
すなわち、予め、前記第２固定板部３を前記屋根芯材１３ａの側面に取り付けておき、前記連結金物１の第１固定板部２と前記壁部２０の上端部の側面とが当接するようにして位置決めしながら、前記屋根パネル１３を前記結合桁２１の傾斜面２１ａ上に載せ、その後、前記第１固定板部２を前記結合桁２１と前記壁部２０の上端部の側面とに固定して、前記屋根芯材１３ａと前記壁部２０とを連結する。このような方法でも、前記屋根パネル１３を前記壁部２０の上端部に取り付けることができる。
【００３９】
本実施の形態によれば、前記第１固定板部２と接続板部４とは、屋根勾配に対応する角度に折曲形成されており、前記第２固定板部３と接続板部４とは、前記屋根芯材１３ａの棟方向に対する延在方向に対応する角度に折曲形成されているので、平面視において棟方向に対して所定角度で斜めに配置される屋根芯材１３ａと、棟方向に沿って配置される壁部２０の上端部とを、屋根勾配を考慮しながら確実に連結することができる。そして、このように、屋根パネル１３を構成する屋根芯材１３ａと、棟方向に沿って配置される壁部２０の上端部とを確実に連結することができるので、下方に傾斜する屋根面同士が当接する部分に形成される谷隅部１４を有する平面視略Ｌ字状に形成された屋根１０を容易かつ確実に形成することが可能となる。
【００４０】
また、前記第１固定板部２の上端縁と接続板部４の下端縁とが接する部分を前記折曲線５としているので、この折曲線５の部分を中心に前記第１固定板部２と接続板部４とを折り曲げることによって、これら第１固定板部２と接続板部４とを確実に屋根勾配に対応する角度に折曲形成できる。
また、前記第２固定板部３の側縁部と接続板部４の側縁部とが接する部分を前記折曲線６としているので、この折曲線６の部分を中心に前記第２固定板部３と接続板部４とを折り曲げることによって、これら第２固定板部３と接続板部４とを確実に前記屋根芯材１３ａの棟方向に対する延在方向に対応する角度に折曲形成できる。
これによって、平面視において棟方向に対して所定角度で斜めに配置される屋根芯材１３ａと、棟方向に沿って配置される壁部２０の上端部とを、屋根勾配を考慮しながら、より確実に連結することができる。
【００４１】
また、前記第２固定板部３と接続板部４との間の折曲線６の下端部は、前記第１固定板部２と接続板部４との間の折曲線５よりも上方に位置しているので、前記接続板部４の、前記第２固定板部３と接続板部４との間の折曲線６の下端部から左右方向に沿って剪断力が作用する部分の位置と、前記第１固定板部２と接続板部４との間の折曲線５に沿って剪断力が作用する部分の位置とがずれることになる。
これによって、例えば、前記第２固定板部３と接続板部４との間の折曲線６の下端部と、前記第１固定板部２と接続板部４との間の折曲線５の端部とが当接するように形成された金物よりも、前記接続板部４付近に作用する剪断力を確実に分散できるので、屋根を構成する屋根芯材１３ａと、棟方向に沿って配置される壁部２０の上端部との連結強度を高めることができる。
【００４２】
また、取付構造において、平面視において棟方向に対して所定角度で斜めに配置される複数の屋根芯材１３ａ，１３ａと、これら複数の屋根芯材１３ａ，１３ａの上面に取り付けられるとともに平面視において平行四辺形状に形成される屋根下地板材１３ｂとを有する屋根パネル１３を、前記連結金物１を介して、棟方向に沿って配置される壁部２０の上端部に取り付けるので、前記屋根芯材１３ａと、壁部２０の上端部とを、屋根勾配を考慮しながら、より一層確実に連結することができる。そして、このように、屋根パネル１３を構成する屋根芯材１３ａと、棟方向に沿って配置される壁部２０の上端部とを連結することができるので、下方に傾斜する屋根面同士が当接する部分に形成される谷隅部１４を有する平面視略Ｌ字状に形成された屋根１０を、より一層容易かつ確実に形成することが可能となる。
また、前記壁部２０の上端面に、前記屋根パネル１３の屋根勾配に沿って傾斜する傾斜面２１ａを有する結合桁２１が設けられているので、この結合桁２１の傾斜面２１ａ上に前記複数の屋根芯材１３ａ，１３ａを載せることで、前記屋根パネル１３を所定の角度に勾配を付けて前記壁部２０の上端部に設置することができる。
また、前記第１固定板部２は、前記結合桁２１と前記壁部２０の上端部の側面とに固定されているので、前記第１固定板部２を、単に前記結合桁２１だけに固定した場合や、前記壁部２０の上端部の側面だけに固定した場合に比して、確実かつ強固に固定することができる。これによって、屋根を構成する屋根芯材１３ａと、棟方向に沿って配置される壁部２０の上端部との連結強度を、より高めることができる。
【００４３】
また、前記屋根パネル１３は、建築用屋根パネルによって構成されており、前記壁部２０が前記屋根パネル１３と同質のパネルで構成されたものであるから、屋根パネル１３と壁部２０とを容易に連結することができる。
また、前記屋根１３をパネル化した状態で輸送したり現場施工できるので、施工効率の工場を図ることができる。さらに、予め前記連結金物１を前記複数の屋根芯材１３ａ，１３ａに取り付けておくこともできるので、この連結金物１の第１固定板部２と前記壁部２０または梁の上端部の側面とが当接するようにして位置決めしながら、前記屋根パネル１３を前記壁部２０の上端部に取り付けることができる。
【符号の説明】
【００４４】
１  連結金物
２  第１固定板部
３  第２固定板部
４  接続板部
５  折曲線
６  折曲線
１３  屋根（建築用屋根パネル）
１３ａ  屋根芯材
１３ｂ  屋根下地板材
１４  谷隅部
２０  壁部
【図１】
2010248798.tif 000003
【図２】
2010248798.tif 000004
【図３】
2010248798.tif 000005
【図４】
2010248798.tif 000006
【図５】
2010248798.tif 000007